(57)【要約】【課題】使い勝手を良くする。安定性を向上させる。【解決手段】前輪１及び後輪２が取り付けられる脚部３ｂと後方から掴まれるハンドル部３ａとを有するメインフレーム３と、点滴バッグを吊り下げる引っ掛け部材５と、引っ掛け部材５を支持する鉛直フレーム６と、鉛直フレーム６を揺動可能にメインフレーム３に連結する連結手段７と、メインフレーム３の後方への傾斜時に鉛直フレーム６を揺動させて鉛直状態を維持する揺動手段７とを備えている。メインフレーム３は全輪を接地させての自立と全輪走行とが可能であると共に、ハンドル部３ａを掴んで後方に傾けられることで前輪１を持ち上げた状態での牽引走行が可能である。【選択図】図２
2014097118.tif 000002
【特許請求の範囲】
【請求項１】
前記前輪及び前記後輪が取り付けられる脚部と後方から掴まれるハンドル部とを有するメインフレームと、点滴バッグを吊り下げる引っ掛け部材と、前記引っ掛け部材を支持する鉛直フレームと、前記鉛直フレームを揺動可能に前記メインフレームに連結する連結手段と、前記メインフレームの後方への傾斜時に前記鉛直フレームを揺動させて鉛直状態を維持する揺動手段とを備え、前記メインフレームは全輪を接地させての自立と全輪走行とが可能であると共に、前記ハンドル部を掴んで後方に傾けられることで前記前輪を持ち上げた状態での牽引走行が可能であることを特徴とする点滴スタンド。
【請求項２】
前記前輪は旋回可能であることを特徴とする請求項１記載の点滴スタンド。
【請求項３】
全輪接地状態では、上から見て、前記鉛直フレームは前記前輪と前記後輪の間に位置していることを特徴とする請求項１または２記載の点滴スタンド。
【請求項４】
前記連結手段は前記鉛直フレームを着脱自在に前記メインフレームに連結することを特徴とする請求項１から３のいずれか１つに記載の点滴スタンド。
【請求項５】
全輪接地状態での自立時に、前記メインフレームを他の点滴スタンドのメインフレームに水平方向に重ねることが可能であることを特徴とする請求項１から４のいずれか１つに記載の点滴スタンド。
【請求項６】
揺動手段は、前記鉛直フレームの前記連結手段よりも低い位置に設けられた錘であることを特徴とする請求項１から５のいずれか１つであることを特徴とする点滴スタンド。
【発明の詳細な説明】
【技術分野】
【０００１】
本発明は点滴スタンドに関する。さらに詳述すると、本発明は、患者等と共に移動することに適した点滴スタンドに関する。
【背景技術】
【０００２】
点滴スタンドとして、例えば特許文献１に開示されたものがある。この点滴スタンドを図１７に示す。点滴バッグを吊り下げる棒状体１０１を支持する支柱１０２は、脚部１０３に垂直に固定されている。脚部１０３は四方に広がる４本の脚羽根１０３ａを有しており、各脚羽根１０３ａの先端にはキャスタ１０４が設けられている。
【０００３】
この点滴スタンドは脚部１０３にキャスタ１０４が設けられて移動可能になっており、点滴中の患者が点滴バッグを吊した点滴スタンドを動かして脇に携えながら目的の場所へと移動することができる。
【先行技術文献】
【特許文献】
【０００４】
【特許文献１】特開平１−２８４２５１号公報
【発明の概要】
【発明が解決しようとする課題】
【０００５】
しかしながら、上記の点滴スタンドは、患者は自分の足が脚部１０３にぶつからないように四方に広がる脚部１０３の外側に立つ必要があり、体に近い位置で点滴スタンドを掴むことができない。しかも、患者は点滴スタンドを動かすために支柱１０２を掴むことになり、力を伝えるのに適した構造とはいえない。さらに、上記の点滴スタンドは脚部１０３に支柱１０２を立てた構成であり、重心が高くなる。しかも、点滴バッグは支柱１０２の上端の棒状体１０１に吊すので、使用状態では尚更重心が高くなる。また、患者は立った状態で支柱１０２を掴むので、支柱１０２の比較的高い位置を押すまたは引くことになる。さらに、四方に広がる脚部１０３に設けたキャスタ１０４で走行する構成であり、段差の乗り越えに不向きである。これらのため、上記の点滴スタンドは使い勝手と安定性に劣る。
【０００６】
また、例えばスーツケースのような車輪の付いた移動体では、押して前進させる場合には全輪を接地させての全輪走行が走行性に優れており、牽引する場合には片側の車輪を持ち上げた状態での２輪走行が走行性に優れている。そのため、点滴スタンドの走行性や使い勝手を良くするために、スーツケースのように走行させることも考えられる。しかしながら、点滴スタンドは点滴バッグを高い位置に吊り下げながら使用されるという特殊性を有しており、上記図１７に示す点滴スタンドをそのままスーツケースのように走行させることはできず、仮にスーツケースのように走行させたとしても使い勝手が悪く、走行安定性に劣るものとなる。
【０００７】
本発明は、使い勝手が良く、安定性に優れた点滴スタンドを提供することを目的とする。
【課題を解決するための手段】
【０００８】
かかる目的を達成するために、請求項１記載の点滴スタンドは、前輪及び後輪が取り付けられる脚部と後方から掴まれるハンドル部とを有するメインフレームと、点滴バッグを吊り下げる引っ掛け部材と、引っ掛け部材を支持する鉛直フレームと、鉛直フレームを揺動可能にメインフレームに連結する連結手段と、メインフレームの後方への傾斜時に鉛直フレームを揺動させて鉛直状態を維持する揺動手段とを備え、メインフレームは全輪を接地させての自立と全輪走行とが可能であると共に、ハンドル部を掴んで後方に傾けられることで前輪を持ち上げた状態での牽引走行が可能であるものである。
【０００９】
したがって、点滴スタンドは全輪接地状態で自立する。使用者はハンドル部を掴んで点滴スタンドを前方に向けて押しながら、又は後方に向けて引きながら移動する。前方に向けての押しながらの移動は全輪走行となり、後方に向けての引きながらの移動はメインフレームが傾いて前輪を持ち上げた状態での牽引走行になる。牽引走行時にメインフレームを傾けるとその傾斜に応じて鉛直フレームがメインフレームに対して揺動し、鉛直状態が維持される。
【００１０】
また、請求項２記載の点滴スタンドは、前輪が旋回可能になっている。したがって、前進時の旋回が容易になる。
【００１１】
また、請求項３記載の点滴スタンドは、全輪接地状態では、上から見て、鉛直フレームが前輪と後輪の間に位置するものである。したがって、自立時の鉛直フレームの重心が前後の車輪の間に位置することになる。
【００１２】
また、請求項４記載の点滴スタンドは、連結手段が鉛直フレームを着脱自在にメインフレームに連結するものである。したがって、鉛直フレームを外してベッドサイド等の別の場所に移動させることができる。
【００１３】
また、請求項５記載の点滴スタンドは、全輪接地状態での自立時に、メインフレームを他の点滴スタンドのメインフレームに水平方向に重ねることが可能なものである。したがって、複数の点滴スタンドを間を詰めて並べることができる。
【００１４】
さらに、請求項６記載の点滴スタンドは、揺動手段が鉛直フレームの連結手段よりも低い位置に設けられた錘としている。したがって、鉛直フレーム（錘及び鉛直フレームに吊り下げられた物品も含む全体）の重心が低くなり、メインフレームが傾斜しても鉛直フレームの角度は鉛直に維持される。
【発明の効果】
【００１５】
請求項１記載の点滴スタンドでは、メインフレームにハンドル部が設けられているので、使用者がメインフレームのすぐ近くに立つことができると共に、ハンドル部を掴んで押し引きすることができ、点滴スタンドに力を伝え易く、移動させるのが容易である。また、メインフレームを傾けても鉛直フレームは鉛直に維持されるので、安定性を向上させることができる。また、メインフレームを傾斜させても鉛直フレームの姿勢は鉛直に維持される。これらのため、点滴スタンドの使い勝手と安定性を向上させることができる。
【００１６】
また、請求項２記載の点滴スタンドでは、前輪を旋回可能にしているので、前進時の旋回動作が容易であり、使い勝手をより一層向上させることができる。
【００１７】
また、請求項３記載の点滴スタンドでは、自立時の鉛直フレームの重心を前後の車輪の間に位置させることができるので、メインフレームがより一層倒れ難くなり、安定性をより向上させることができる。
【００１８】
また、請求項４記載の点滴スタンドでは、メインフレームから鉛直フレームを外してベッドサイド等の別の場所に移動させることができるので、使い方の幅が広がり使い勝手をより一層向上させることができる。
【００１９】
また、請求項５記載の点滴スタンドでは、複数の点滴スタンドを間を詰めて並べることができるので、収納に必要な場所を狭くすることができる。
【００２０】
さらに、請求項６記載の点滴スタンドでは、揺動手段を鉛直フレームの連結手段よりも低い位置に設けられた錘としているので、自然の力を利用して鉛直フレームを鉛直状態に維持することができる。そのため、簡単な構成で且つ確実で信頼性の高い揺動手段を低コストで提供するができる。
【図面の簡単な説明】
【００２１】
【図１】本発明の点滴スタンドの第１の実施形態を示し、その全輪走行時の側面図である。
【図２】同点滴スタンドを示し、その牽引走行時の側面図である。
【図３】同点滴スタンドを示し、その自立状態の正面図である。
【図４】図３のIV−IV線に沿う断面図である。
【図５】同点滴スタンドを示し、その連結手段を拡大して示す背面図である。
【図６】図５のVI−VI線に沿う断面図である。
【図７】連結手段の操作を示し、左側半部は鉛直フレームを取り外すことができない状態の断面図、右側半部は鉛直フレームを取り外すことができる状態の断面図である。
【図８】連結手段の操作を示し、（Ａ）は鉛直フレームを取り外すことができない状態の断面図、（Ｂ）は鉛直フレームを取り外すことができる状態の断面図である。
【図９】連結手段を示し、鉛直フレームを取り外した状態の背面図である。
【図１０】複数の点滴スタンドを水平方向に重ねて並べた様子を示す側面図である。
【図１１】図１０のXI−XI線に沿う断面図である。
【図１２】連結手段の変形例を拡大して示す背面図である。
【図１３】図１２のXIII−XIII線に沿う断面図である。
【図１４】本発明の点滴スタンドの第２の実施形態を示し、その全輪走行時の側面図である。
【図１５】同点滴スタンドを示し、その牽引走行時の側面図である。
【図１６】同点滴スタンドを示し、その自立状態の正面図である。
【図１７】従来の点滴スタンドの斜視図である。
【発明を実施するための形態】
【００２２】
以下、本発明の構成を図面に示す形態に基づいて詳細に説明する。
【００２３】
図１〜図１１に本発明の点滴スタンドの実施形態の一例を示す。点滴スタンドは、前輪１及び後輪２が取り付けられる脚部３ｂと後方から掴まれるハンドル部３ａとを有するメインフレーム３と、点滴バッグを吊り下げる引っ掛け部材５と、引っ掛け部材５を支持する鉛直フレーム６と、鉛直フレーム６を揺動可能にメインフレーム３に連結する連結手段７と、メインフレーム３の後方への傾斜時に鉛直フレーム６を揺動させて鉛直状態を維持する揺動手段８とを備え、メインフレーム３は全輪を接地させての自立と全輪走行とが可能であると共に、ハンドル部３ａを掴んで後方に傾けられることで前輪１を持ち上げた状態での牽引走行が可能になっている。
【００２４】
本実施形態の点滴スタンドは使用者が後ろ側に立つものとし、使用者が押す方向を前方向（図１の右方向）、使用者が牽引する方向を後方向（図１の左方向）とする。
【００２５】
本実施形態のメインフレーム３は脚部３ｂの上に支柱部３ｃを設け、この支柱部３ｃの上にハンドル部３ａを設けている。脚部３ｂ、支柱部３ｃ、ハンドル部３ａは１本の例えばパイプを折り曲げることで一体に形成されている。メインフレーム３を構成するパイプはその中央部分を下向きの略Ｕ字状に曲げられてハンドル部３ａとなり、下方に延びて左右一対の支柱部３ｃとなり、さらに前方に向けて曲げられて左右一対の脚部３ｂとなっている。左右の脚部３ｂは前方に向けて間隔を狭めている。左右の脚部３ｂの先端には前輪１が取り付けられる台板９が設けられている。なお、メインフレーム３を構成する部材はパイプに限られず、例えば棒材、長尺の板材や無垢材等でも良い。また、その材料は、例えば金属、樹脂等であるが、これらには限られない。
【００２６】
本実施形態の点滴スタンドは、前輪１が一輪、後輪２が二輪の三輪車となっているが、これに限られず、例えば、前輪１が二輪、後輪が二輪の四輪車としても良く、その他でも良い。また、前輪１を例えばキャスタにして旋回可能にするのが好ましいが、旋回可能でなくても良い。また、後輪２を例えばキャスタにして全輪を旋回可能にしても良い。さらに、本実施形態では、前輪１よりも後輪２を大径にしており、段差の乗り越えを容易にしている。
【００２７】
前輪１は台板９の底面に旋回可能に取り付けられている。また、左右の後輪２は支柱部３ｃと脚部３ｂとの間の湾曲部分に設けられた後輪取付用ブラケット１０に取り付けられている。左右の後輪２は同軸上に設けられている。
【００２８】
鉛直フレーム６は高い位置に点滴バッグを吊すためのもので、棒あるいはパイプで形成されている。本実施形態では鉛直フレーム６を上下２分割することで伸縮可能になっている。上側フレーム６ａは下側フレーム６ｂよりも細く、下側フレーム６ｂの上端面に設けた軸方向に延びるガイド孔６ｃ内に上側フレーム６ａの下端を挿入し、その挿入量を変えることで鉛直フレーム６を伸縮可能にしている。下側フレーム６ｂのガイド孔６ｃの内径は上側フレーム６ａの外径とほぼ同じであり、上側フレーム６ａは下側フレーム６ｂに対してがた付かずに軸方向に真っ直ぐ案内される。
【００２９】
鉛直フレーム６には係止手段１１が設けられており、係止手段１１を緩めることで鉛直フレーム６を伸縮可能とし（ロック解除）、係止手段１１を締め付けることで鉛直フレーム６を伸縮できないようにロックする。本実施形態の係止手段１１はグリップ付きのねじであり、下側フレーム６ｂに設けられた径方向のねじ孔６ｄに係止手段１１をねじ込み、その先端を上側フレーム６ａの外周面に押し付けるとともに、上側フレーム６ａの外側面をガイド孔６ｃの内径に押し付けることで上側フレーム６ａを固定して鉛直フレーム６を伸縮できないようにする。一方、係止手段１１を緩めることで係止手段１１の先端が上側フレーム６ａから離れるとともに、上側フレーム６ａの外側面をガイド孔６ｃの内径から離すことで、鉛直フレーム６の伸縮が可能になる。ただし、係止手段１１としては、必ずしもグリップ付きのねじに限られない。例えば、上側フレーム６ａに上下方向に並ぶ複数の孔をあけておき、係止手段１１であるピンが飛び込む事で係止される構造であっても良い。
【００３０】
鉛直フレーム６の上端には、点滴バッグを吊すフックが設けられた引っ掛け部材５が固定されている。本実施形態では棒状の引っ掛け部材５の両端を湾曲させることで２つのフックを設けている。鉛直フレーム６の上端の引っ掛け部材５に点滴バッグを吊すことで、高い位置に点滴バッグを吊すことができる。
【００３１】
連結手段７は、メインフレーム３と鉛直フレーム６とのいずれか一方に設けた軸部７ａを、いずれか他方に設けた軸受け部７ｂで受けるもので、本実施形態ではメインフレーム３側に軸部７ａを設け、鉛直フレーム６側に軸受け部７ｂを設けているが、メインフレーム３側に軸受け部７ｂを設け、鉛直フレーム６側に軸部７ａを設けても良い。軸受け部７ｂによって軸部７ａを支持する、あるいは軸部７ａによって軸受け部７ｂを支持することでメインフレーム３に対して鉛直フレーム６を揺動可能に連結している。本実施形態では鉛直フレーム６を左右の支柱部３ｃの間に連結しているが、連結位置は左右の支柱部３ｃの間に限られない。
【００３２】
また、本実施形態では軸部７ａと軸受け部７ｂとの間に所定の大きさの摩擦力を意識的に発生させて鉛直フレーム６が揺動し過ぎないようにしている。即ち、メインフレーム６を傾けた場合に鉛直フレーム６がいつまでもフラフラしないように軸部７ａと軸受け部７ｂとの間に所定の大きさの摩擦力を意識的に発生させて移用している。ただし、このように摩擦力を意識的に発生させて利用しなくても良く、自然に発生する摩擦力に任せるようにしても良い。
【００３３】
軸受け部７ｂ及び軸部７ａは鉛直フレーム６を挟んで左右両側に設けられている。左右の軸受け部７ｂ及び軸部７ａは同軸上に並べられている。
【００３４】
また、本実施形態の連結手段７は鉛直フレーム６をメインフレーム３に対して着脱自在にしている。連結手段７の軸受け部７ｂは、鉛直フレーム６の下側フレーム６ｂの上端部に取り付けられた固定部７ｃと、固定部７ｃに対して回転可能な回転部７ｄより構成され、回転部７ｄを回転させて回転部７ｄの切り欠き７ｆを固定部７ｃの切り欠き７ｇに合わせて大きな１つの出入口にすることで、当該出入口を通して軸部７ａの出し入れを可能にする（図７の右側半部、図８(Ｂ)）と共に、回転部７ｄの切り欠き７ｆを固定部７ｃの切り欠き７ｇからずらすことで出入口の半分を塞いで軸部７ａの通り抜けを禁止する（図７の左側半部、図８(Ａ)）。
【００３５】
固定部７ｃは下側フレーム６ｂの上端に当該下側フレーム６ｂの径方向に突出するように設けられている。また、回転部７ｄは固定部７ｃの先端面の凸部に回転可能に嵌め込まれている。固定部７ｃ及び回転部７ｄは鉛直フレーム６を挟んで左右両側に同軸上に設けられている。左右の回転部７ｄは操作レバー７ｅによって連結されており、同一方向に同一角度だけ回転される。また、左右の回転部７ｄは操作レバー７ｅによって連結されることでその間隔が一定に維持されているので、回転部７ｄから外れることがない。
【００３６】
本実施形態では、操作レバー７ｅを持ち上げると回転部７ｄの切り欠き７ｆが固定部７ｃの切り欠き７ｇに合い１つの大きな出入口になり（図７の右側半部、図８(Ｂ)）、操作レバー７ｅを降ろすと回転部７ｄの切り欠き７ｆが固定部７ｃの切り欠き７ｇからずれて出入口の半分が塞がれる（図７の左側半部、図８(Ａ)）。
【００３７】
軸部７ａは支柱部３ｃの軸受け部７ｂに対向する位置に設けられている。本実施形態では左右の支柱部３ｃと左右の軸受け部７ｂとの間に隙間ができるため、左右の軸部７ａにはスペーサ１２が嵌め込まれており、軸受け部７ｂのがたつきを防止すると共に、鉛直フレーム６を左右の支柱部３ｃの中央に位置決めしている。
【００３８】
揺動手段８は、メインフレーム３が後方に傾けられた場合にその角度に応じて鉛直フレーム６を揺動させて鉛直状態を維持するものであり、本実施形態では揺動手段８として鉛直フレーム６の連結手段７よりも低い位置に錘（以下、錘８という）を設けている。錘８は、引っ掛け部材５に点滴バッグを吊している場合であっても鉛直フレーム６を鉛直に立てておくことができる重さを有している。本発明の点滴スタンドは前後の車輪１，２を使用して走行するので、錘８の重量は特に問題にならない。一方、錘８を低い位置に設けることで、点滴スタンド全体の重心が低くなるので、点滴スタンドの安定性が増す。揺動手段８として錘を使用することで、鉛直フレーム６の姿勢維持に重力を利用することができる。錘８は下側フレーム６ｂの下端に固定されており、鉛直フレーム６と一緒にメインフレーム３から取り外されて、取り外した状態の鉛直フレーム６の姿勢維持にも寄与する。
【００３９】
本実施形態のメインフレーム３の支柱部３ｃは前方に向けて傾斜しており、全輪接地状態では、上から見て、鉛直フレーム６を前輪１と後輪２の間に位置させている。即ち、支柱部３ｃは脚部３ｂとハンドル部３ａを繋ぎ、脚部３ｂの後端から上方に延びるに従って前方に湾曲し、中間部にて後方に湾曲しハンドル部３ａに繋がる側面視くの字形状をなしている。そして、当該くの字形状のほぼ前方において、鉛直フレーム６と連結手段７により連結されている。これにより、自立時の鉛直フレーム６の重心が前後の車輪１，２の間に位置するので、メインフレーム３がより一層倒れ難くなり、安定性をより向上させることができる。
【００４０】
また、本実施形態の点滴スタンドは、全輪接地状態での自立時に、メインフレーム３を他の点滴スタンドのメインフレーム３に水平方向に重ねることが可能である（図１０，図１１）。本実施形態では、メインフレーム３の左右の脚部３ｂの間隔を前側ほど狭くすると共に、左右の支柱部３ｃを前方に傾斜させており、点滴スタンドの前部を別の点滴スタンドの後部に差し込んで重ねて並べることができる。すなわち、複数の全輪接地状態の点滴スタンドを前後に並べ、間隔を詰めて収納することができる。そのため、収納に必要な場所を狭くすることができる。
【００４１】
点滴スタンドは、全輪接地状態では自立している。そのため、ベッドサイド等の任意の場所に止めて使用することができる。また、不使用時には邪魔にならない場所に止めておくことができる。
【００４２】
点滴スタンドは、自立状態からそのまま押して前進させる即ち全輪走行させることもできるし（図１）、自立状態から後ろに倒して例えばスーツケースのように引く、即ち牽引走行させることもできる（図２）。前進時には全輪で走行させるので、点滴バッグを引っ掛け部材５に吊していても倒れ難く、走行安定性に優れている。また、後方への牽引走行では２輪で走行させるので、安定性を損なわずに軽快に走行させることができる。さらに、揺動手段８としての錘を低い位置に設ける等して全体の重心を低くしているので、安定性に優れている。これらのため、使い勝手を大変良くすることができる。
【００４３】
鉛直フレーム６は連結手段７によってメインフレーム３に連結されており、鉛直フレーム６には揺動手段８が設けられているので、牽引走行のためにメインフレーム３を後ろに傾けると、その傾きに応じて連結手段７の軸部７ａが軸受け部７ｂに対して回転し、鉛直フレーム６は鉛直状態に維持される。また、自立させるためにメインフレーム３の傾きを戻すと、その傾きに応じて軸部７ａが軸受け部７ｂに対して逆方向に回転し、やはり鉛直フレーム６は鉛直状態に維持される。このように、鉛直フレーム６を常に鉛直状態に維持することができ、鉛直フレーム６が傾いて点滴バッグが落下したり点滴バッグから延びるチューブが絡まる等の不都合を防止することができ、この点からも使い勝手を大変良くすることがでる。
【００４４】
鉛直フレーム６は取り外して使用することもできる。即ち、操作レバー７ｅを持ち上げると、連結手段７の軸受け部７ｂの回転部７ｄの切り欠き７ｆが固定部７ｃの切り欠き７ｇに合って１つの大きな出入口（軸部７ａが通り抜け可能な通路）になるので、そのまま軸受け部７ｂを軸部７ａから外して鉛直フレーム６を取り外すことができる。そして、連結手段７の軸部７ａを例えばベッドサイド等の別の場所に設けておくことで、その場所に鉛直フレーム６を取り付けることができる。
【００４５】
また、鉛直フレーム６をメインフレーム３に取り付ける場合には、連結手段７の軸受け部７ｂの回転部７ｄの切り欠き７ｆを固定部７ｃの切り欠き７ｇに合わせた状態で、軸受け部７ｂを軸部７ａに嵌め込めば良い。軸受け部７ｂを軸部７ａに嵌め込んだ後、操作レバー７ｅを降ろすことで回転部７ｄの切り欠き７ｆが固定部７ｃの切り欠き７ｇからずれて軸部７ａから軸受け部７ｂが外れなくなる（図７左側半部、図８(Ａ)）。これにより、鉛直フレーム６がメインフレーム３に揺動可能に連結される。
【００４６】
点滴スタンドのメインフレーム３の脚部３ｂは、図１７の点滴スタンドの脚部１０３のように四方に広がるものではなく、使用者の歩行の邪魔になり難い。特に、本実施形態のメインフレーム３は左右の脚部３ｂの間隔が後ろ側ほど広がっており、使用者の足がぶつかり難い。そのため、全輪走行では、点滴スタンドに近づいた状態で押すことができる。また、使用者はハンドル部３ａを掴んで押すので、押す力を点滴スタンドに伝えやすい。また、点滴スタンドは自立するため、使用者が体重をある程度かけることができ、歩行の補助となる。また、後輪２に比較的大径の車輪を使用しているため、図１７の点滴スタンドのように全輪がキャスタの場合に比べて、段差を乗り越えやすい。さらに、前輪１が旋回可能であり、方向転換が容易である。これらのため、点滴スタンドの使い勝手と安定性を向上させることができる。
【００４７】
また、牽引走行では、点滴スタンドを左右の後輪２で二輪走行させることができるため、軽快に移動させることができる。
【００４８】
なお、上述の形態は本発明の好適な形態の一例ではあるがこれに限定されるものではなく本発明の要旨を逸脱しない範囲において種々変形実施可能である。
【００４９】
例えば、上述の説明では、鉛直フレーム６を伸縮可能にすると共に係止手段１１としてグリップ付きのねじを使用していたが、係止手段１１はこれに限られない。例えば、図１２，図１３に示すように鉛直フレーム６を締め付けるカムを使用しても良い。
【００５０】
鉛直フレーム６の下側フレーム６ｂの上端部には、上側フレーム６ａが貫通する厚肉部１１ａが設けられており、左右の軸受け部７ｂの固定部７ｃは厚肉部１１ａの両側に設けられている。また、厚肉部１１ａの後面には係止手段１１としてのカム（以下、カム１１という）を揺動可能に収容するスリット１１ｂが設けられており、スリット１１ｂ内に収容されたカム１１はシャフト１１ｃによって揺動可能に支持されている。
【００５１】
図１３に２点鎖線で示す揺動位置では、カム１１の操作部１１ｄは上側フレーム６ａから離れている。したがって、この状態では、上側フレーム６ａは下側フレーム６ｂに対して昇降可能であり、鉛直フレーム６は伸縮可能になっている。一方、図１３に実線で示す係止位置では、カム１１の操作部１１ｄが上側フレーム６ａの外周面を係止しており、上側フレーム６ａの昇降は禁止され、鉛直フレーム６の長さは固定されている。この状態では、カム１１の操作部１１ｄは若干弾性変形しており、カム１１から手を離してもカム１１が上側フレーム６ａから外れることはない。このように、係止手段１１の操作がワンタッチ操作になり、使い勝手がより向上する。
【００５２】
また、上述の説明では、鉛直フレーム６を伸縮可能にしていたが、鉛直フレーム６を伸縮可能にしなくても良い。この場合には、鉛直フレーム６を１本の棒又はパイプで構成することが可能になり、構成の簡略化による製造コストの低減と軽量化を図ることができる。
【００５３】
また、上述の説明では、鉛直フレーム６と一緒に揺動手段８を取り外す構成であったが、揺動手段８を残したまま鉛直フレーム６を取り外すようにしても良い。この場合の例を図１４〜図１６に示す。揺動手段８には左右一対の吊り下げ部材８ａが設けられており、各吊り下げ部材８ａの上端に設けられたリング部８ｂを左右の軸部７ａに通すことで、揺動手段８は左右の軸部７ａに吊り下げられている。揺動手段８には鉛直フレーム６を差し込む孔８ｃが設けられている。
【００５４】
鉛直フレーム６をメインフレーム３に取り付ける際に鉛直フレーム６の下端を揺動手段８の孔８ｃに挿入することで、メインフレーム３を後方に傾けた場合に揺動手段８によって鉛直フレーム６を揺動させて鉛直状態を維持することができる。また、鉛直フレーム６をメインフレーム３から取り外す際に鉛直フレーム６の下端を揺動手段８の孔８ｃから引き抜くことで、揺動手段８を残したまま鉛直フレーム６を取り外すことができる。
【００５５】
また、上述の説明では、連結手段７によって鉛直フレーム６をメインフレーム３に着脱自在にしていたが、鉛直フレーム６は着脱できなくても良い。
【００５６】
また、上述の説明では、全輪接地状態での自立時にメインフレーム３を他の点滴スタンドのメインフレーム３に水平方向に重ねることができるようにしていたが、必ずしも、水平方向に重ねることができるようにしなくても良い。
【００５７】
また、点滴スタンドのハンドル部３ａの高さ調節を可能にしても良い。例えば、ハンドル部３ａのサイドフレーム部分や支柱部３ｃを伸縮可能にすることで、ハンドル部３ａの高さ調節を可能にすることができる。
【符号の説明】
【００５８】
１  前輪
２  後輪
３  メインフレーム
３ａ  ハンドル部
３ｂ  脚部
５  引っ掛け部材
６  鉛直フレーム
７  連結手段
８  揺動手段
【図１】
2014097118.tif 000003
【図２】
2014097118.tif 000004
【図３】
2014097118.tif 000005
【図４】
2014097118.tif 000006
【図５】
2014097118.tif 000007
【図６】
2014097118.tif 000008
【図７】
2014097118.tif 000009
【図８】
2014097118.tif 000010
【図９】
2014097118.tif 000011
【図１０】
2014097118.tif 000012
【図１１】
2014097118.tif 000013
【図１２】
2014097118.tif 000014
【図１３】
2014097118.tif 000015
【図１４】
2014097118.tif 000016
【図１５】
2014097118.tif 000017
【図１６】
2014097118.tif 000018
【図１７】
2014097118.tif 000019